(57)【要約】【課題】従来の広告媒体および広告方法によれば、広告宣伝を受け取る側にとって直接的なメリットがなく、受け取る側の承諾を得ていなかった。そこでこの欠点を克服し、集客力を飛躍的に上昇させ、毎日広告主のセールスプロモーションを直接的かつ効果的に行うことを図る。【解決手段】広告宣伝を受け取ることを承諾した施設利用者１４に、飲食物等のサービス２を、お金３を必要とせず無料又は廉価で提供することにより、集客力が格段にアップする。その施設内のステージ４でイベントを開催し、その上部に設けられた巨大スクリーン７に、その商品の具体的内容９を表示して、施設利用者１４に広告対象商品のイメージを、強いインパクトで与え、購買意欲を起こさせることによって、効果的かつ直接的な広告効果を得ると同時に、販売ブース１０及び各テーブルに設置されたパソコン１２において販売をすることができる。【選択図】図１
2007052384.tif 000002
【特許請求の範囲】
【請求項１】
施設利用者に、市場価格が存在する商品又はサービスを、無料又は前記市場価格より低廉な価格で提供するスペース（以下、無料スペースと称する）と、前記無料スペース内にいる施設利用者に、広告主の商品又はサービスを広告するスペース（以下、広告スペースと称する）と、からなる広告媒体としての施設およびその施設を広告媒体とした広告方法。
【請求項２】
前記無料スペース内には、前記施設利用者が使用可能なパソコンが設置されており、前記広告スペース内には、前記施設利用者が前記無料スペース内から見ることができる程度の巨大スクリーン及びステージと、前記巨大スクリーンを制御するパソコンと、広告主の商品又はサービスの販売および／又は展示ブースが設置されていることを特徴とする請求項１記載の広告媒体としての施設およびその施設を広告媒体とした広告方法。
【請求項３】
前記施設利用者が、あらかじめ広告を受けることを承諾していることを特徴とする請求項１記載の広告媒体としての施設およびその施設を広告媒体とした広告方法。
【請求項４】
前記施設利用者が、市場価格が存在する商品又はサービスを、無料又は前記市場価格より低廉な価格で受けられることを、主目的に参集することを特徴とする請求項１記載の広告媒体としての施設およびその施設を広告媒体とした広告方法。
【発明の詳細な説明】
【技術分野】
【０００１】  この発明は、新しい広告媒体および広告方法に関する。
【背景技術】
【０００２】  従来の広告媒体および広告方法は以下のように分類できる。ＴＶ、新聞、雑誌、インターネット、電車、看板等における広告は、不特定多数の人に、間接的に、少しの情報を、短い時間で提供するという点で共通している。これは、企業名の浸透、イメージアップ、新製品の短時間の紹介等に向いている。プロモーションイベント、ＰＲ館、展示会等は、不特定少数の人に、直接的に、多くの情報を、長い時間で提供するものであり、テレアポ、ダイレクトメールは、特定少数の人に、直接的に、多くの情報を、長い時間で提供するものである。これらは新製品の詳細な紹介、会員獲得、売上アップ等に向いている。【０００３】  従来の広告媒体および広告方法によれば、広告宣伝を受け取る側にとって直接的なメリットがないこと、受け取る側の承諾を得ていないという最大の欠点を有する。【０００４】  テレアポやダイレクトメールは、受け取る側の承諾を得ておらず、広告を受け取ることに直接的なメリットがないため、ほとんどの場合、うっとおしいだけであり、特定少数の人に、直接的に、多くの情報を、長い時間で提供するという本来の意図を達成していない。【０００５】  また、プロモーションイベントも受け取る側の承諾を得ておらず、広告を受け取ることに直接的なメリットがないため、集客するのが難しいという欠点を有している。また人通りの多い場所を選んで行っているケースが多いが、人の足を止めてイベントを最初から最後まで見てもらうのは極めて困難であり、イベントの意図を何人の人に伝えられているか疑問である。【０００６】  そしておもちゃ・ショー、モーター・ショー等その分野の会社が全て参加して行う大規模なプロモーションイベントは、単発的であり日常性を有しておらず、一般の人々にまでプロモートするには限界がある。【０００７】  さらに、大手携帯電話会社等独自で有しているショールームは、独自で行うにはコストがかかりすぎるという最大の欠点があり、どこの会社でも気軽に行えるプロモーション方法ではない。携帯という人の注意を引きやすい、エンターテインメント性の高い商品であるからこそできるプロモーション方法である。【０００８】  また、これらのショールームでは簡単なコーヒー等の飲み物を無料でサービスしていることもあるが、利用者はこのサービスを受けることを主目的に来ているわけではなく、そのサービスが特徴となって集客力アップに寄与しているわけではない。【０００９】  現在、広告主は不特定多数の人に、間接的に、少しの情報を、短い時間で提供することを意図した広告であるＴＶ、新聞、ラジオ、雑誌、電車等における広告を、より低価格で行えるインターネット広告に切り替えつつある。この潮流は広告代理店にとって業績の悪化を意味し、望ましいことではなく、新規の広告媒体を開発することにより、この減少分を補う必要がある。【００１０】  広告主にとっても、同じ事を意図した方法に偏りすぎるのは広告効率が悪いといえる。したがって、広告主としては、特定少数の人に、直接的に、多くの情報を、長い時間で提供することを意図した広告を採用することにより、バランスの良い効果的な広告を行う必要がある。東京、大阪は日本の中心地であり、有名大学、優良企業のほとんどが、東京と大阪に集中している。このことは優秀な大学生や優良企業に勤めている人やその家族、所得水準の高い人が他の地域よりも多いことを意味している。東京、大阪は日本の中心地であるため人口密度も高く、お洒落なお店やエンターテインメント施設も多く、ファッションセンスの高い人、流行に敏感な人、刺激を求めている人、新しいものに敏感な人、目が肥えている人等々が多く存在することを意味している。もちろん競争企業も多数存在するため、普通に商品を流通経路に流しているだけでは、消費者の目につかないままうもれてしまう。したがって企業としては、この日本の中心地にいる人たちにマーケティングを行い、自社の商品が一番であることをＰＲすることが、広告宣伝効果が高く且つ必要不可欠になる。以上から、東京、大阪という激戦区で、その中心地にいる数万人に、マーケティングを行うことは、非常に意味があり、企業として必要不可欠である。
【発明の開示】
【発明が解決しようとする課題】
【００１１】  本発明は、まず、広告宣伝を受け取る側（施設利用者）にとって直接的なメリットを提供し、広告を受け取る側（施設利用者）の承諾が得られる広告媒体および広告方法を開発することを課題とする。【００１２】  また、集客力、日常性を有し、直接的で効果的なセールスプロモーションを行うことを課題とする。【００１３】  また、広告主が独自でショールームを開発するリスクを軽減することを課題とする。【００１４】  また、ＴＶ、新聞等における広告からインターネット広告へのシフトという広告業界の潮流に起因する、広告代理店の広告収入減少を補うことを課題とする。【００１５】  更に、従来なかった、もしくはテレアポやダイレクトメール等本来の意図を達成できていない、特定少数の人に、直接的に、多くの情報を、長い時間で提供することを意図した広告を開発し、不特定多数の人に、間接的に、少しの情報を、短い時間で提供することを意図した広告に偏ることなく、広告効率をあげることを課題とする。【００１６】  最後に、社会貢献という観点から、魅力的な各種商品又はサービスを無料又は低廉な価格で提供し、個人の可処分所得を増加させることにより、広告主が社会貢献していると施設利用者から認識されやすく、企業名の浸透、イメージアップにもつながる広告媒体および広告方法を開発することを課題とする。
【課題を解決するための手段】
【００１７】  上記課題を解決するために、第一発明は、施設利用者に、市場価格が存在する商品又はサービスを、無料又は前記市場価格より低廉な価格で提供するスペース（以下、無料スペースと称する）と、前記スペース内にいる施設利用者に、広告主の商品又はサービスを広告するスペース（以下、広告スペースと称する）と、からなる広告媒体としての施設およびその施設を広告媒体とした広告方法である。【００１８】  また、第二発明は、前記無料スペース内には、前記施設利用者が使用可能なパソコンが設置されており、前記広告スペース内には、前記施設利用者が前記無料スペース内から見ることができる程度の巨大スクリーン及びステージと、前記巨大スクリーンを制御するパソコンと、広告主の商品又はサービスの販売および／又は展示ブースが設置されていることを特徴とする第一発明記載の広告媒体としての施設およびその施設を広告媒体とした広告方法である。【００１９】  また、第三発明は、前記施設利用者が、あらかじめ広告を受けることを承諾していることを特徴とする第一発明記載の広告媒体としての施設およびその施設を広告媒体とした広告方法である。【００２０】  また、第四発明は、前記施設利用者が、市場価格が存在する商品又はサービスを、無料又は前記市場価格より低廉な価格で受けられることを、主目的に参集することを特徴とする第一発明記載の広告媒体としての施設およびその施設を広告媒体とした広告方法である。
【発明の効果】
【００２１】  第一発明によれば、終身雇用の崩壊による解雇への不安、能力主義という名の人件費削減、高齢化社会による社会保障制度の負担増、消費税、所得税の上昇等日本国民の可処分所得を圧迫する要因に事欠かない今日において、スウィートショップでケーキとお茶をし、レストランで食事をし、バーにお酒を飲みにいくという経済的ではないライフスタイルを、お金を気にすることなく無料又は低廉な価格でおくることが可能となり、個人の可処分所得は増加するとともに、人と人との交流が活発になるため、より経済的で有意義な人生をおくることが可能となる。【００２２】  また、現在、自己のキャリアアップのために海外で語学留学を経験している人や、仕事の関係上英語を使用しなければならない人は、その英語力を維持しなければならない。しかし日本で英語力を維持するのはかなり難しく、既存の英会話学校に通っている人は少なくないはずである。日本人の英語力は、文法、ボキャブラリー、ライティング等の英語力は非常に高く、リスニング、スピーキング力は非常に低いという傾向がある。したがって、英語を教えてもらう必要はなく、ひたすら実践をつめる場を必要としている。しかし既存の英会話学校では、未だに英語を教えているため、実践を積むにはコストがかかりすぎる。本発明により、ひたすら実践を積む場所としてのイングリッシュ  コミュニケーションスペースにおいて、お金を気にすることなく、無料又は低廉な価格で、ネイティブスピーカーと英会話を行うことが可能となる。【００２３】  また、現在、個人にとって税理士や弁護士等の専門家への質問や相談は経費がかかり、経済的にハードルの高いものである。本発明により、お金を気にすることなく、無料又は低廉な価格で、何度でも専門家へ質問ができるため、今までよりも格段に専門家への質問が便利で身近なものとなり、個人がより適切な人生をおくることが可能となる（以上を専門家へのＱ＆Ａと略称する）。【００２４】  また、現在インターネット、オンラインゲーム、インターネットの有料サイト（漫画、音楽、ビデオ等）、携帯型ゲーム、テキサスポーカー等のカードゲーム等のゲーム関連の消費も経済的ではない。本発明により、お金を気にすることなく、無料又は低廉な価格で、ゲーム関連の消費を行うことが可能となる。【００２５】  また、現在マッサージ、エステ、ネイル、ヘアサロン等の美容関連の消費も経済的ではない。本発明により、お金を気にすることなく、無料又は低廉な価格で、美容関連の消費を行うことが可能となる。【００２６】  さらに、現在健康食品、フィットネス、ダンス、ダイエット等の健康関連の消費も経済的ではない。本発明により、お金を気にすることなく、無料又は低廉な価格で、健康関連の消費を行うことが可能となる。【００２７】  上記のような飲食物、英会話、専門家へのＱ＆Ａ、ゲーム、健康、美容関連等の市場価格の存在する商品又はサービスを、施設利用者が無料又は低廉な価格で受けられることで、直接的なメリットを得て、その対価として、広告主は、前記施設利用者の個人情報の取得や一定の時間に広告主の商品コマーシャルをする権利を取得することにより、広告宣伝を受け取る側（施設利用者）にとって直接的なメリットを提供し、��告を受け取る側（施設利用者）の承諾を得ることができる。【００２８】  したがってこの施設利用者はかなりの勢いで増加すると予測され、この集客力が効果的で直接的なセールスプロモーションを毎日行うことを可能とする。【００２９】  前記広告媒体施設では、複数の広告主の広告を行うことができるため、独自でショールームを開発する場合に比べ、多大なコスト負担をしなくてよい。また、独自でショールームを持った場合、集客するのが困難であるが、その点においても、魅力的な商品又はサービスを無料又は低廉な価格で提供することにより、格段に集客力をアップすることができる。したがって、この広告媒体施設は、独自でショールームを開発することのリスクを著しく低下させることが可能となる。【００３０】  またこのような新しい広告媒体の開発により、ＴＶ広告からインターネット広告へのシフトという広告業界の潮流に起因する、広告代理店の広告収入の減少を補うことができる。【００３１】  そして、この新しい広告媒体は、従来なかったもしくはテレアポやダイレクトメール等本来の意図を達成できていない、特定少数の人に、直接的に、多くの情報を、長い時間で提供することを意図した広告であるため、不特定多数の人に、間接的に、少しの情報を、短い時間で提供することを意図した広告に偏ることなく、広告効率をあげることができる。【００３２】  さらに社会貢献という観点から、魅力的な商品又はサービスを無料又は低廉な価格で提供し、個人の可処分所得を増加させることにより、広告主が社会貢献していると施設利用者から認識されやすく、企業名の浸透、イメージアップにもつながる。【００３３】  第二発明によれば、前記施設内のステージ上で演劇等のイベントを開催し、役者等に広告主の商品を演劇等の中でアピールしてもらうと同時に、そのステージ上部に設けられた巨大スクリーンに、前記商品の名称又はブランド名、価格、商品番号、ホームページ、コマーシャル・メッセージ等の具体的内容を表示することが可能となり、また人気番組やスポーツ観戦を可能とし、その合間に広告主のコマーシャルを流すことが可能となり、施設利用者に広告対象商品のイメージを、強いインパクトで与え、購買意欲を起こさせることによって、効果的かつ直接的な広告効果を得ると同時に、販売ブースにおいて施設利用者は実際に商品を手にすることができ、注文および支払いをすることができる。また、各テーブルに設置されたパソコン上から、広告主の商品に関する芸能人の推薦コメントやその商品の開発秘話等が漫画形式で見られ、その商品の詳細な説明もブレイクダウンでき、気に入ればその画面上から商品の注文とカードによる支払いができる。その画面の最後に広告主の商品についてのクイズが出題され、高解答率の人には豪華商品をプレゼントしたり、相当のインセンティブを与えたりすることにより、広告主の商品の詳細知識を楽しく自ら進んでインプットすることが可能である。なお、このサービスは広告主からの広告に対する対価により成り立っている。【００３４】  第三発明によれば、前記施設において、その施設利用者があらかじめ広告を受けることを承諾しているため、広告主は従来の広告に比べて、より効果的な広告を行うことができる。【００３５】  この施設内では、様々な広告をすることができる。施設利用者は、広告主の会員になり、個人情報を登録する。これにより広告主はダイレクトメールを送ったり、その運営するサービスの会員増加を図ったりすることが可能である。【００３６】  また、この施設の外壁または施設内に、広告看板を掲げることができ、施設内に広告主の商品又はサービスの販売・展示ブースを設置することができる。「広告主の商品又はサービス」とは、広告主が広告をする対象となるものである。【００３７】  そして施設利用者が席に座ってから数分間の広告主の商品の説明のための時間を設けたり、試供品、チラシ、パンフレット、販促物等の配布をしたりすることにより、直接的で最も効果的な広告を行うことができる。【００３８】  さらに各テーブルに設置されたパソコンを、施設利用者は自由に使用することができ、広告主の商品に関する広告を見たり、詳細な説明もブレイクダウンできたり、気に入ればその画面上から商品の注文とカードによる支払いができたりする。これは結果的に、広告主にとって施設利用者に商品を効果的に、広告することに結びつくことを意味する。【００３９】  施設内には、巨大スクリーンが設置されており、既存のＴＶコマーシャルや特別に制作した広告用ミニビデオを流すことが可能である。この巨大スクリーンではミュージックビデオ、スポーツ観戦、人気番組、映画等も流し、その合間に効果的に広告主のコマーシャルを流すことが可能である。【００４０】  巨大スクリーンの下には、イベントステージが特設してあり、広告主の商品のプロモーションイベントが可能である。このイベントステージにおいては、直接のプロモーションイベントだけではなく、ファッションショー、ゲーム、クラシックバレー、サルサダンス、フラメンコ、ヒップホップ、ピアノ、サックス、バイオリン、バンド、演劇等、お客の性別、年齢に合わせて魅力的なショーを開催し、そのショーの中、もしくは合間に効果的に広告主の商品の広告を行うことができる。【００４１】  ファッションショーでは、プロのモデルはもちろん、お客の中からモデルを選び、即席で着替え、メイク、ヘアメイク、歩き方、ポーズの指導を行い、即席モデルによるファッションショーを開催する。特に若い女性の、モデルをしてみたい、きれいにしてもらいたい、かわいい服を着てみたい等の欲求を刺激できるため、それを目当てに訪れるお客も期待できる。本当のモデルオーディションを兼ねることもできる。これにより施設利用者の関心を集めて、効果的な広告を行うことができる。【００４２】  演劇の中では、アクターにより広告主の服、アクセサリー、家電製品等を使用してもらい、巨大スクリーンによりブランド名、価格、関連商品、使用方法等を表示したり、パソコンでインターネットを検索して情報を入手する場面をストーリーに入れて、その時に実際に巨大スクリーンに広告主のホームページを写しだしたりすることにより、効果的に広告を行うことができる。【００４３】  ゲームショーでは、巨大スクリーンでコンピューターゲームを楽しむことができたり、テキサスポーカー、ブラックジャック等のカードゲームイベントを開催したりすることにより、施設利用者の関心を集めて、その合間に効果的な広告を行うことができる。【００４４】  さらに、施設利用者を年齢、性別により区分することにより、ターゲットを絞った広告が可能となる。この広告媒体施設が、例えば３階建ての建物であったとする。各階は午前９時から午後１７時まで、女性専用とする。化粧品、ボディケア、ブランド品、アクセサリー、ファッション、英会話、旅行、家電製品、日用品、家具、飲食物等の広告主に最適である。１階は午後１８時から午後２４時まで、２０歳までで性別は問わず（大学生は２０歳超も可）、２階、３階は１８時から２時まで、２０歳以上で性別は問わずサービスする。ゲーム、ファッション、車、不動産・金融情報、家電製品、資格、楽器、音楽、映画、本、雑誌、日用品、飲食物、スポーツ用品等の広告主に最適である。【００４５】  これらの広告を効果的に行うためには、施設利用者の協力が不可欠である。施設利用者からあらかじめ広告を受けることへの承諾をもらっておくことにより、施設利用者の広告への関心を得たり、広告への協力を求めたりすることができ、非協力的な施設利用者を排除することも可能となる。【００４６】  第四発明によれば、前記施設において、その施設の利用者が飲食物、英会話、ゲーム、専門家へのＱ＆Ａ健康・美容関連等の市場価格の存在する商品又はサービスを無料又は低廉な価格で受けられることを主目的に参集するため、従来難しかった集客が容易になり、飛躍的に集客力がアップする。
【発明を実施するための最良の形態】
【００４７】  この発明の一実施形態を、図１に示す。
広告媒体施設１では、広告宣伝を受け取ることを承諾した施設利用者１４が、飲食物、英会話、ゲーム、専門家へのＱ＆Ａ、健康・美容関連等の市場価格の存在する商品又はサービス２を、お金３を必要とすることなく無料又は低廉な価格で受けられる。前記施設内のステージ４で演劇等のイベントを開催し、役者等のパフォーマー５に広告主の商品６を演劇等の中でアピールしてもらうと同時に、そのステージ上部に設けられた巨大スクリーン７に、それを制御する目的で設置されたパソコン８を操作することにより、前記商品の具体的内容、ＴＶ番組、コマーシャル等９を表示する。販売又は展示ブース１０には実際に商品１１を置き、各テーブルに設置されたパソコン１２から、広告主の商品に関する情報を得ることができ、気に入った商品の注文やカードによる支払いを行うことができる。【００４８】なお、従来は図２に示すように、人通りの多い駅前等の場所で、消費者１５に特設ステージ４上で司会者であるパフォーマー５が広告主の商品６の説明を行うという形態で行われている。また飲食物等のサービス２の提供は、プロモーションイベントの集客目的で行われておらず、飲食物等のサービス２の提供の対価として必ず相当のお金３を必要とし、飲食物等サービス提供者１３の営利目的で行われていた。【００４９】「実施形態の効果」
この実施形態によれば、本発明の広告媒体施設１では、広告宣伝を受け取ることを承諾した施設利用者１４、飲食物、英会話、ゲーム、専門家へのＱ＆Ａ、健康・美容関連等の市場価格の存在する商品又はサービス２をお金３を必要とすることなく無料又は低廉な価格で受けられることにより、前記施設の集客力が格段にアップする。前記施設内のステージ４で演劇等のイベントを開催し、役者等のパフォーマー５に広告告主の商品６を演劇等の中でアピールしてもらうと同時に、そのステージ上部に設けられた巨大スクリーン７に、それを制御する目的で設置されたパソコン８を操作することにより、前記商品の名称又はブランド名、価格、商品番号、ホームページ、コマーシャル・メッセージ等の具体的内容９を表示することが可能となり、また人気番組やスポーツ観戦９を可能とし、その合間に広告主のコマーシャル９を流すことが可能となり、施設利用者１４に広告対象商品のイメージを、強いインパクトで与え、購買意欲を起こさせることによって、効果的かつ直接的な広告効果を得ることができる。更には、販売又は展示ブース１０において施設利用者１４は実際に商品１１を手にすることができ、注文および支払いをすることができる。もしくは各テーブルに設置されたパソコン１２から、広告主の商品に関する芸能人の推薦コメントやその商品の開発秘話等が漫画形式で見られ、その商品の詳細な説明もブレイクダウンでき、気に入ればその画面上から商品の注文とカードによる支払いができる。その画面の最後に広告主の商品についてのクイズが出題され、高解答率の人には豪華商品をプレゼントしたり、相当のインセンティブを与えたりすることにより、広告主の商品の詳細知識を楽しく自ら進んでインプットできる。【００５０】「他の実施形態」
以上、本発明の実施形態を説明したが、本発明の範囲はこれに限定されるものではない。例えば、ステージ、巨大スクリーン、販売又は展示ブース等の施設の構成要素の位置関係や数は、状況に応じて適宜選択されるものである。【００５１】また、図１の実施形態では、各テーブルに設置されたパソコン１２から気に入った商品の注文とクレジットカードによる支払いを行っているが、その手段はパソコンに限定されるものではなく、他の実施形態では、各人の有するモバイルからでも良く、他の手段でもよい。
【図面の簡単な説明】
【００５２】
【図１】この発明の一実施形態を示す概念図である。
【図２】従来技術を示す概念図である。
【符号の説明】
【００５３】      １  広告媒体施設  ２  飲食物、英会話、ゲーム、専門家へのＱ＆Ａ、健康・美容関連等の市場価格の存在する商品又はサービス  ３  お金  ４  ステージ  ５  パフォーマー  ６  広告主の商品  ７  巨大スクリーン  ８  巨大スクリーンを制御するパソコン  ９  その商品の具体的内容、ＴＶ番組、コマーシャル等  １０  販売又は展示ブース  １１  実際の商品  １２  各テーブルに設置されたパソコン  １３  飲食物等サービス提供者  １４  施設利用者  １５  消費者  １６  広告主
【図１】
2007052384.tif 000003
【図２】
2007052384.tif 000004